(57)【要約】      （修正有）【課題】ユーザに対して情報を提示するためのネットワーク装置、情報提示システム、情報提示方法及びプログラムを提供する。【解決手段】ネットワーク装置は、ユーザ端末から、ユーザに関するユーザ情報を受信する受信手段２２２と、受信手段２２２により受信されたユーザ情報に基づいて、管理するジョブから、ユーザに対応したジョブを特定する特定手段２２４と、特定手段２２４により特定されたジョブの情報に基づいて、複数のコンテンツから、提示するコンテンツを選択する選択手段２３２と、選択手段２３２により選択されたコンテンツを提示するための処理を実行する提示手段２３６とを含む。【選択図】図３
2016130907.tif 000002
【特許請求の範囲】
【請求項１】
ユーザ端末から、ユーザに関するユーザ情報を受信する受信手段と、
前記受信手段により受信された前記ユーザ情報に基づいて、管理するジョブから、前記ユーザに対応したジョブを特定する特定手段と、
前記特定手段により特定された前記ジョブの情報に基づいて、複数のコンテンツから、提示するコンテンツを選択する選択手段と、
前記選択手段により選択されたコンテンツを提示するための処理を実行する提示手段と
を含む、ネットワーク装置。
【請求項２】
前記ネットワーク装置は、前記受信手段により受信された前記ユーザ情報から前記ユーザの特性に適合するコンテンツを抽出する抽出手段をさらに含み、
前記選択手段は、前記抽出手段により抽出されるコンテンツであって、かつ、前記特定手段により特定された前記ジョブの情報に適合するコンテンツを、前記提示するコンテンツとして選択することを特徴とする、請求項１に記載のネットワーク装置。
【請求項３】
前記ジョブの情報は、前記ジョブの処理時間に関連する情報であり、前記複数のコンテンツは、表示時間が異なる複数のコンテンツを含み、前記選択手段は、前記ジョブの処理時間に適合する表示時間を有したコンテンツを、前記提示するコンテンツとして選択することを特徴とする、請求項１または２に記載のネットワーク装置。
【請求項４】
前記ジョブの処理時間は、前記ジョブを構成する処理の数量および当該ネットワーク装置のジョブを処理する処理性能に基づいて算出される、請求項３に記載のネットワーク装置。
【請求項５】
前記ネットワーク装置は、前記ユーザ端末の接近を検知する検知手段をさらに含み、
前記受信手段は、前記検知手段により前記ユーザ端末の接近が検知されたことに応じて、前記ユーザ端末から前記ユーザ情報を読み取ることを特徴とする、請求項１〜４のいずれか１項に記載のネットワーク装置。
【請求項６】
前記ユーザ情報は、ユーザを識別するユーザ識別情報、ユーザが事前設定したコンテンツ属性およびユーザが事前設定したユーザ属性またはこれらの少なくとも１つを含む、請求項１〜５のいずれか１項に記載のネットワーク装置。
【請求項７】
前記提示手段は、
当該ネットワーク装置が備える出力装置に対し、前記選択手段により選択されたコンテンツおよび該コンテンツに関連するコンテンツまたはこれらの少なくとも１つを出力するよう指示する処理、および、
前記ユーザ端末に対し、前記ユーザ端末が備える出力装置上に、前記選択手段により選択されたコンテンツおよび該コンテンツに関連するコンテンツまたはこれらの少なくとも１つを出力させるための情報を送信する処理、
またはこれらの少なくとも１つの処理を実行することを特徴とする、請求項１〜６のいずれか１項に記載のネットワーク装置。
【請求項８】
前記ユーザ端末は、ウェアラブルデバイスであることを特徴とする、請求項１〜７のいずれか１項に記載のネットワーク装置。
【請求項９】
ユーザ端末と、請求項１〜８のいずれか１項に記載のネットワーク装置とを含む情報提示システムであって、前記ユーザ端末は、
ユーザに関するユーザ情報を記憶する記憶手段と、
前記ネットワーク装置に対して、前記記憶手段に記憶される前記ユーザ情報を送信する送信手段と
を含む、情報提示システム。
【請求項１０】
ネットワーク装置が実行する情報提示方法であって、ネットワーク装置が、
ユーザ端末から、ユーザに関するユーザ情報を受信するステップと、
前記受信するステップで受信された前記ユーザ情報に基づいて、管理するジョブから、前記ユーザに対応したジョブを特定するステップと、
前記特定するステップで特定された前記ジョブの情報に基づいて、複数のコンテンツから、提示するコンテンツを選択するステップと、
前記選択するステップで選択されたコンテンツを提示するための処理を実行するステップと
を含む、情報提示方法。
【請求項１１】
ネットワーク装置と通信するユーザ端末を実現するためのプログラムであって、コンピュータを、
ユーザに関するユーザ情報を記憶する記憶手段、
前記ネットワーク装置に対して、前記記憶手段に記憶される前記ユーザ情報を送信する送信手段
前記ネットワーク装置から通知されたコンテンツを取得する取得手段、および、
前記取得手段により取得された前記コンテンツを表示する表示手段
として機能させるためのプログラムであり、前記ネットワーク装置から通知された前記コンテンツは、前記記憶手段に記憶される前記ユーザ情報に紐付けられた前記ネットワーク装置が管理するジョブの情報に基づいて、複数のコンテンツから選択されたコンテンツである、プログラム。
【請求項１２】
ユーザ端末と通信するネットワーク装置を実現するためのプログラムであって、コンピュータを、
前記ユーザ端末から、ユーザに関するユーザ情報を受信する受信手段、
前記受信手段により受信された前記ユーザ情報に基づいて、管理するジョブから、前記ユーザに対応したジョブを特定する特定手段、
前記特定手段により特定された前記ジョブの情報に基づいて、複数のコンテンツから、提示するコンテンツを選択する選択手段、および、
前記選択手段により選択されたコンテンツを提示するための処理を実行する提示手段
として機能させるためのプログラム。
【発明の詳細な説明】
【技術分野】
【０００１】
本発明は、情報提示技術に関し、より詳細には、ユーザに対して情報を提示するためのネットワーク装置、情報提示システム、情報提示方法およびプログラムに関する。
【背景技術】
【０００２】
従来、複合機などの画像形成装置に対しユーザの個人情報を入力することにより、そのユーザに適した広告情報を取得して印刷する技術が知られている。ユーザに適した広告情報を画像形成装置に自動的に判別させることにより、ユーザの手間を省き、ユーザビリティを向上させることができる。
【０００３】
しかしながら、従来技術では、ユーザが画像形成装置に対し、個人の嗜好などの情報を入力する必要があった。その場合、ユーザに対しより適した有益な広告情報を提示できるようにするためには、より詳細な情報が必要となり、設定項目が多くなることから、画像形成装置それぞれに対して個別に設定する必要があり手間となる。あるいは、共有デバイスとして利用される画像形成装置をはじめとするネットワーク装置に、自身に関する詳細な情報を入力することに抵抗を感じるユーザも存在するかもしれない。
【０００４】
上述したユーザが画像形成装置に情報を入力する手間を省くことを目的としたものとして、例えば、特開２０１４−０９１２５４号公報（特許文献１）が知られている。特許文献１は、画像データの印刷を行う印刷要求者に応じた広告情報を記録媒体に印刷する広告情報印刷システムを開示する。特許文献１に開示される広告情報印刷システムでは、画像形成装置は、画像データの印刷操作を行う印刷要求者を撮像し、印刷要求者の画像データに応じた広告情報を広告サーバから取得し記録媒体に印刷する。
【０００５】
しかしながら、上記特許文献１の従来技術では、画像形成装置それぞれに対して個別に画像データを入力する必要があり、また、画像形成装置にユーザの顔写真などの画像を入力する必要がある。さらに、上記特許文献１の従来技術では、画像形成装置から広告を提示する場合、印刷要求者の顔画像データ、性別、年齢の客層情報を基に広告情報を特定することはできるが、広告などのコンテンツを提示するにあたり、複数のユーザで共有される共有デバイスとして利用される画像形成装置などのネットワーク装置では、該ネットワーク装置を利用している時間など必要な分だけ提示するといった考慮がなされていない。
【０００６】
すなわち、画像形成装置などのネットワーク装置に対しユーザが情報を入力する手間無く、ユーザに応じた広告などのコンテンツを必要な分だけ提示することができる技術の開発が望まれていた。
【発明の概要】
【発明が解決しようとする課題】
【０００７】
本発明は、上記の点に鑑みてなされたものであり、本発明は、ネットワーク装置に対しユーザが情報を入力する手間なく、ユーザに応じたコンテンツを必要な分だけ提示することができる、ネットワーク装置を提供することを目的とする。
【課題を解決するための手段】
【０００８】
本発明では、上記課題を解決するために、下記特徴を有するネットワーク装置を提供する。本ネットワーク装置は、ユーザ端末から、ユーザに関するユーザ情報を受信する受信手段と、上記受信手段により受信された上記ユーザ情報に基づいて、管理するジョブから、ユーザに対応したジョブを特定する特定手段と、上記特定手段により特定された上記ジョブの情報に基づいて、複数のコンテンツから、提示するコンテンツを選択する選択手段と、上記選択手段により選択されたコンテンツを提示するための処理を実行する提示手段とを含む。
【発明の効果】
【０００９】
上記構成により、ネットワーク装置に対しユーザが情報を入力する手間なく、ユーザに応じたコンテンツを必要な分だけ提示することができる。
【図面の簡単な説明】
【００１０】
【図１】本実施形態による広告提示システムの概要図。
【図２】本実施形態による広告提示システムを構成するアクセスポイント、複合機およびウェアラブルデバイスのハードウェア構成図。
【図３】本実施形態による広告提示システムの機能ブロック図。
【図４】本実施形態によるウェアラブルデバイスが実行する制御フローを示すフローチャート。
【図５】本実施形態による複合機が実行する制御フローを示すフローチャート。
【図６】（Ａ）本実施形態によるウェアラブルデバイスのユーザ情報記憶部に記憶されるユーザ情報、本実施形態による複合機のジョブリスト、および（Ｃ）コンテンツＤＢのテーブルのデータ構造を例示する図。
【発明を実施するための形態】
【００１１】
以下、本実施形態について説明するが、以下に説明する実施形態に限定されるものではない。なお、以下に説明する実施形態では、ネットワーク装置およびユーザ端末を含む情報提示システムとして、広告情報をコンテンツとした、複合機１２０およびウェアラブルデバイス１５０を含み構成される広告提示システム１００を一例として説明する。
【００１２】
図１は、本実施形態による広告提示システム１００の概要を説明する図である。図１に示すように、広告提示システム１００は、アクセスポイント１１０と、アクセスポイント１１０のネットワークに接続する複合機１２０と、アクセスポイント１１０のネットワークに接続するウェアラブルデバイス１５０とを含み構成される。
【００１３】
アクセスポイント１１０は、近距離無線通信のネットワークを統括する装置であり、クライアントとなる複合機１２０およびウェアラブルデバイス１５０を相互に通信可能とする。近距離無線通信としては、一例では、ＩＥＥＥ８０２．１５．１に規格化されているＢｌｕｅｔｏｏｔｈ（登録商標）を挙げることができる。Ｂｌｕｅｔｏｏｔｈ（登録商標）を用いる特定の実施形態では、近距離無線通信の通信距離は、典型的には、数ｍ〜数十ｍであり、インフラストラクチャモードでパーソナルエリアネットワーク（ＰＡＮ）が構成される。なお、アクセスポイント１１０、複合機１２０およびウェアラブルデバイス１５０の通信手段は、Ｂｌｕｅｔｏｏｔｈ（登録商標）といった特定の規格に限定されず、また、近距離無線通信に限定されるものでもなく、赤外線通信など他の通信手段、通信規格でも本発明を適用可能である。
【００１４】
複合機１２０は、ユーザに対し、プリント、コピー、スキャナ、ファクシミリなどの各種画像サービスを提供するネットワーク装置である。複合機１２０は、上述した近距離無線通信を行うためのモジュールを備えており、以下の説明においては、事前に、アクセスポイント１１０との接続設定が行われているものとする。
【００１５】
説明する実施形態において、複合機１２０は、さらに、自身に接近したウェアラブルデバイス１５０を検知し、検知したウェアラブルデバイス１５０のユーザに適した広告情報（例えば製品を紹介する静止画像や動画像など）やその補足情報（例えば製品のセールスポイントや詳細情報を含む文書など）をコンテンツとして提示することができる。広告情報や補足情報のコンテンツの提示方法としては、特に限定されるものではないが、複合機１２０が備える表示装置に表示出力してもよく、印刷可能なものであれば複合機１２０が備える印刷出力装置から印刷出力してもよく、ウェアラブルデバイス１５０が備える表示装置に表示出力させてもよい。上述したアクセスポイント１１０は、典型的には、複合機１２０に近接して配置される。
【００１６】
ウェアラブルデバイス１５０は、典型的には、スマートグラス（ヘッドマウントディスプレイ方式のウェアラブルコンピュータ）、スマートウォッチ（腕時計型のウェアラブルコンピュータ）などのウェアラブルデバイスであり、ユーザが装着するユーザ端末である。ウェアラブルデバイス１５０は、同様に、上記近距離無線通信のためのモジュールを備えており、事前に、アクセスポイント１１０との接続設定が行われているものとする。ウェアラブルデバイス１５０を装着したユーザが、複合機１２０（およびアクセスポイント１１０）に近づくと、ウェアラブルデバイス１５０は、アクセスポイント１１０のネットワークに接続し、複合機１２０と通信可能となる。
【００１７】
説明する実施形態において、ウェアラブルデバイス１５０は、複合機１２０に対し、自身の接近を通知する機能を有する。また、ウェアラブルデバイス１５０は、複合機１２０と通信し、ユーザに適した広告情報や補足情報のコンテンツの通知を受けて、自身が備える表示装置にコンテンツを表示出力することもできる。
【００１８】
上述したような広告提示システムにおいては、ユーザに関する情報に基づいて、ユーザに適した広告情報を判断することが求められる。このとき、ユーザが装置に対し情報を入力する手間を省くことが望ましい。また、ユーザは、上述した画像サービスを利用するために複合機の前に近づくのであり、したがって、ユーザの特性に適した広告表示を行うことに加えて、ユーザのジョブを考慮して広告情報を提示することが望まれる。
【００１９】
そこで、本実施形態による広告提示システム１００では、ウェアラブルデバイス１５０は、ユーザが事前に登録したユーザ情報を記憶しており、通信が確立した段階で、複合機１２０に対しユーザ情報を送信する。これに対応して、複合機１２０は、ウェアラブルデバイス１５０からユーザ情報を受信し、受信したユーザ情報に基づいて、自身が管理するジョブの中から、ユーザに対応したジョブを特定する。そして、複合機１２０は、特定されたジョブの情報に基づいて、複数の広告情報のコンテンツの中から、提示する広告情報のコンテンツを選択し、選択された広告情報のコンテンツを提示するための処理を実行する。
【００２０】
好ましい実施形態では、複合機１２０は、特定されたユーザに対応するジョブの処理時間に基づいて、表示時間の異なる複数の広告情報のコンテンツの中から、特定されたジョブの処理時間に適合する表示時間を有した広告情報のコンテンツを選択することができる。
【００２１】
さらに、好ましい実施形態では、複合機１２０は、選択された広告情報や補足情報のコンテンツを、ジョブ処理中の待ち時間などに、自身が備える表示装置から表示出力し、または、自身が備える印刷出力装置から印刷出力をすることができる。また、ウェアラブルデバイス１５０は、複合機１２０からの広告情報や補足情報のコンテンツの通知を受けて、通知されたコンテンツを取得し、ジョブ処理中の待ち時間などに、取得されたコンテンツを表示装置上に表示することができる。
【００２２】
これにより、複合機１２０に対しユーザが情報を入力する手間を省きながら、複合機１２０が管理する、ユーザのジョブの情報を活用した広告提示の最適化を図る。
【００２３】
以下、図２〜図６を参照しながら、本実施形態による広告提示システム１００について、より詳細に説明する。図２は、本実施形態による広告提示システム１００を構成するアクセスポイント１１０、複合機１２０およびウェアラブルデバイス１５０のハードウェア構成を示す図である。
【００２４】
まず、図２を参照しながら、複合機１２０のハードウェア構成を説明する。複合機１２０は、コントローラボード１２２を含み、コントローラボード１２２上には、図２に示すように、ＣＰＵ（Central Processing Unit）１２４、メモリ１２６、補助記憶装置１２８、入力インタフェース（以下、Ｉ／Ｆと参照する。）１３０、近距離無線通信装置１３２、ネットワークＩ／Ｆ１３４、印刷出力Ｉ／Ｆ１３６およびパネルＩ／Ｆ１３８を備え、これらはバスを介して相互に接続される。
【００２５】
ＣＰＵ１２４は、シングルコアまたはマルチコアのプロセッサである。メモリ１２６は、ＳＤＲＡＭ（Synchronous Dynamic Random Access Memory）などの記憶装置である。補助記憶装置１２８は、ＨＤＤ（Hard Disk Drive）やＳＳＤ（Solid State Drive）などの記憶装置である。近距離無線通信装置１３２は、上述したＢｌｕｅｔｏｏｔｈ（登録商標）などの近距離無線通信を行うモジュールであり、複合機１２０をアクセスポイント１１０のネットワークに接続する。近距離無線通信装置１３２は、説明する実施形態では、ウェアラブルデバイス１５０と通信可能となったことを検知し、その接近を検知する検知手段としても機能する。ネットワークＩ／Ｆ１３４は、イーサネット（登録商標）などのＮＩＣ（Network Interface Card）であり、複合機１２０をローカルエリアネットワークなどに接続する。
【００２６】
入力Ｉ／Ｆ１３０は、複合機１２０が備えるスキャナエンジンなどの画像入力装置１４０と接続されており、画像入力装置１４０からの読取画像の入力を受ける。印刷出力Ｉ／Ｆ１３６は、複合機１２０が備えるプリントエンジンなどの印刷出力装置１４２と接続されており、プリントジョブやコピージョブなどの各種ジョブの印刷出力を印刷出力装置１４２に対して行わせる。印刷出力装置１４２は、説明する実施形態では、さらに、広告情報や補足情報のコンテンツの印刷出力を行うことができる。
【００２７】
パネルＩ／Ｆ１３８は、複合機１２０が備える操作パネル１４４を構成する表示装置および入力装置と接続されており、オペレータからの各種操作を受け付けるとともに、実行結果を表示する。操作パネル１４４は、説明する実施形態では、さらに、広告情報や補足情報のコンテンツの表示出力を行うことができる。
【００２８】
本実施形態による複合機１２０は、補助記憶装置１２８からプログラムを読み出し、メモリ１２６が提供する作業空間に展開する。これにより、ＣＰＵ１２４の制御の下、後述する各機能部および各処理を実現する。
【００２９】
引き続き、図２を参照しながら、ウェアラブルデバイス１５０のハードウェア構成を説明する。ウェアラブルデバイス１５０は、図２に示すように、ＣＰＵ１５２、メモリ１５４、補助記憶装置１５６、近距離無線通信装置１５８、入力装置１６０、表示装置１６２およびインタフェース装置１６４を備え、これらはバスを介して相互に接続される。
【００３０】
ＣＰＵ１５２は、シングルコアまたはマルチコアのモバイルプロセッサである。メモリ１５４は、ＳＤＲＡＭなどの記憶装置である。補助記憶装置１５６は、フラッシュメモリなどの記憶装置である。近距離無線通信装置１５８は、上述した近距離無線通信を行うモジュールであり、ウェアラブルデバイス１５０をアクセスポイント１１０のネットワークに接続する。インタフェース装置１６４は、３ＧやＬＴＥなどのモバイルデータ通信網およびローカルエリアネットワークなどにウェアラブルデバイス１５０を接続する。
【００３１】
入力装置１６０は、操作ボタン、音声が入力されるマイクロフォンなどの装置であり、ユーザからの各種指示を受け付ける。説明する実施形態では、入力装置１６０は、さらに、操作ボタンやマイクロフォンを介して、ユーザからの興味や嗜好といった情報の入力を受け付ける。表示装置１６２は、ウェアラブルデバイス１５０のヘッドマウントディスプレイである。表示装置１６２は、説明する実施形態では、さらに、複合機１２０から通知された広告情報や補足情報のコンテンツを表示出力することができる。
【００３２】
本実施形態によるウェアラブルデバイス１５０は、補助記憶装置１５６からプログラムを読み出し、メモリ１５４が提供する作業空間に展開する。これにより、ＣＰＵ１５２の制御の下、後述する各機能部および各処理を実現する。
【００３３】
続いて、図２を参照しながら、アクセスポイント１１０のハードウェア構成を説明する。アクセスポイント１１０は、近距離無線通信装置１１２を備え、複合機１２０およびウェアラブルデバイス１５０との間で通信の中継を行う。近距離無線通信装置１１２は、上述した近距離無線通信を行うモジュールである。
【００３４】
ウェアラブルデバイス１５０が、複合機１２０に接近し、アクセスポイント１１０のネットワークの通信可能な距離範囲に入ると、アクセスポイント１１０は、ウェアラブルデバイス１５０と複合機１２０と通信の仲介を開始する。
【００３５】
なお、本実施形態による複合機１２０およびウェアラブルデバイス１５０上で、後述する機能および処理を実現するためのプログラムは、それぞれ、例えば複合機１２０やウェアラブルデバイス１５０の補助記憶装置１２８，１５６に予め格納されている。あるいは、プログラムは、記録媒体やネットワークを介して、複合機１２０やウェアラブルデバイス１５０の補助記憶装置１２８，１５６に保存され、インストールされる。
【００３６】
以下、図３を参照しながら、本実施形態による広告提示システム１００の機能構成について説明する。図３は、本実施形態による広告提示システム１００の機能ブロック２００を説明する図である。なお、図３には、広告提示システム１００を構成する複合機１２０およびウェアラブルデバイス１５０それぞれの機能ブロック２２０および機能ブロック２５０が示されている。上述したアクセスポイント１１０は、複合機１２０およびウェアラブルデバイス１５０間に入って近距離無線通信を仲介するが、図３ではその機能構成の図示が省略されている点に留意されたい。
【００３７】
複合機１２０の機能ブロック２２０としては、図３に示す実施形態では、ユーザ情報受信部２２２と、ジョブ特定部２２４と、ジョブリスト２２６と、コンテンツ決定部２２８と、コンテンツデータベース（以下、データベースをＤＢと参照する。）２３４と、コンテンツ提示処理部２３６と、コンテンツ表示部２３８と、コンテンツ印刷部２４０とが含まれる。
【００３８】
ユーザ情報受信部２２２は、ユーザ端末であるウェアラブルデバイス１５０から、ユーザに関するユーザ情報を受信する、本実施形態における受信手段を構成する。ユーザ情報受信部２２２は、上述した近距離無線通信装置１３２の受信機能により提供される。近距離無線通信装置１３２がウェアラブルデバイス１５０の接近を検知したことに応じて、ユーザ情報受信部２２２により、ウェアラブルデバイス１５０からユーザ情報が読み取られる。なお、ユーザ情報については、詳細を後述する。
【００３９】
受信されたユーザ情報には、ウェアラブルデバイス１５０のユーザが実行したジョブを特定する情報が含まれている。ジョブ特定部２２４は、受信されたユーザ情報に基づいて、ジョブリスト２２６を参照して、自身が管理するジョブの中から、ユーザに対応したジョブを特定する、本実施形態における特定手段を構成する。ジョブリスト２２６は、当該複合機１２０が管理および実行するジョブのリストであり、現在処理中および待機中のジョブの情報を保持する。
【００４０】
受信されたユーザ情報には、さらに、ウェアラブルデバイス１５０のユーザの特性を特定する情報が含まれている。コンテンツ決定部２２８は、受信したユーザ情報および特定されたジョブの情報に基づいて、コンテンツＤＢ２３４に登録された複数の広告情報のコンテンツから、提示する広告情報のコンテンツを決定する。また、選択された広告情報に対し補足情報のコンテンツがあれば、その情報が広告情報のコンテンツとともに取得されてもよい。コンテンツ決定部２２８は、より詳細には、ユーザ適合コンテンツ抽出部２３０と、ジョブ対応コンテンツ選択部２３２とを含み構成される。
【００４１】
コンテンツＤＢ２３４は、複数の広告情報やその補足情報のコンテンツを管理しており、共通する特性に対応した１以上のコンテンツを、コンテンツ群ＩＤでまとめて管理している。コンテンツ群ＩＤは、例えば、ユーザが「カメラ」に興味がある旨の事前登録を行った場合は、「カメラ」に関連するコンテンツ群を識別する。ユーザ適合コンテンツ抽出部２３０は、受信されたユーザ情報に含まれるユーザの特性を表す情報を用いて、コンテンツＤＢ２３４からユーザの特性に適合した広告情報のコンテンツを抽出する。ユーザ適合コンテンツ抽出部２３０は、本実施形態による抽出手段を構成する。
【００４２】
ジョブ対応コンテンツ選択部２３２は、説明する実施形態では、上記ユーザ適合コンテンツ抽出部２３０が抽出したコンテンツ群から、特定されたジョブの情報に基づいて、提示する広告情報のコンテンツを選択する。ジョブ対応コンテンツ選択部２３２は、本実施形態における選択手段を構成する。特定されたジョブの情報に基づいたコンテンツの選択については、詳細を後述する。
【００４３】
なお、説明する実施形態では、上記ユーザ適合コンテンツ抽出部２３０が抽出したコンテンツ群から、ジョブ対応コンテンツ選択部２３２がコンテンツを選択するものとして説明した。しかしながら、これらの実行順序は特に限定されるものではない。他の実施形態では、特定したジョブ情報に基づいて抽出されたコンテンツ群の中から、上記ユーザの特性に適合するコンテンツを選択する態様としてもよい。いずれの態様においても、受信されたユーザ情報に含まれるユーザの特性に適合するコンテンツであって、かつ、特定されたジョブの情報に適合するコンテンツが、上記提示するコンテンツとして選択されることになる。また、コンテンツＤＢ２３４は、複合機１２０側に設けられるものとして説明したが、他の実施形態では、コンテンツＤＢが外部に設けられてもよい。
【００４４】
コンテンツ提示処理部２３６は、上記選択された広告情報やその補足情報のコンテンツを提示するための処理を実行する、本実施形態における提示手段を構成する。
【００４５】
特定の実施形態において、コンテンツ提示処理部２３６は、ウェアラブルデバイス１５０に対し、その表示装置１６２上にコンテンツを出力させるための情報を送信する処理を実行することができる。ここで、コンテンツを出力させるための情報としては、限定されるものではないが、例えばコンテンツを一意に識別するコンテンツＩＤ、コンテンツ自体のデータ、コンテンツの取得先ＵＲＬなどを挙げることができる。
【００４６】
特定の実施形態において、コンテンツ提示処理部２３６は、当該複合機１２０が備える操作パネル１４４に対し、広告情報やその補足情報のコンテンツを表示出力するよう指示する処理を実行することができる。その場合、コンテンツ表示部２３８は、コンテンツ提示処理部２３６からの指令に応じて、操作パネル１４４に対し、広告情報やその補足情報のコンテンツを表示出力する。また、特定の実施形態において、コンテンツ提示処理部２３６は、印刷可能なコンテンツについて、当該複合機１２０が備える印刷出力装置１４２に対し、そのコンテンツを印刷出力するよう指示することができる。その場合、コンテンツ印刷部２４０は、印刷出力装置１４２に対し、そのコンテンツを印刷出力させる。
【００４７】
複合機１２０の機能ブロック２２０としては、さらに、ジョブ受付部２４２を含むことができる。ジョブ受付部２４２は、当該複合機１２０に対して行われたジョブを受け付け、ジョブリスト２２６に登録する処理を行う。なお、ジョブ自体の実行については、従来技術と同様であり、ここで詳細な説明には立ち入らない。
【００４８】
また、好ましい実施形態において、複合機１２０の機能ブロック２２０としては、さらに、印刷指示受付部２４４を含む。説明する実施形態では、詳細を後述するように、ウェアラブルデバイス１５０から、複合機１２０に対し、印刷指示を行うことが可能とされている。印刷指示受付部２４４は、ウェアラブルデバイス１５０からの、広告情報や補足情報のコンテンツの印刷出力の指示を受け付けて、印刷出力装置１４２に対し、そのコンテンツを印刷出力するよう指示する。
【００４９】
以下、図３を参照しながら、ウェアラブルデバイス１５０の機能構成について説明を続ける。図３に示すウェアラブルデバイス１５０の機能ブロック２５０としては、ユーザ情報記憶部２５２と、ユーザ情報送信部２５４とが含まれる。
【００５０】
ユーザ情報記憶部２５２は、当該ウェアラブルデバイス１５０に対しユーザが事前に登録したユーザ情報を記憶する、本実施形態における記憶手段を構成する。ユーザ情報は、ユーザを識別するユーザ識別情報、ユーザが事前設定した興味や嗜好などの特性を表すコンテンツ属性およびユーザが事前設定した年齢や性別など示すユーザ属性またはこれらの少なくとも１つを含むことができる。
【００５１】
ユーザ情報送信部２５４は、複合機１２０との近距離無線通信が確立されたことに応じて、複合機１２０に対し、上記ユーザ情報記憶部２５２に記憶されるユーザ情報を送信する。ユーザ情報送信部２５４は、本実施形態における送信手段を構成する。
【００５２】
好適な実施形態においては、ウェアラブルデバイス１５０の機能ブロック２５０としては、さらに、コンテンツ取得部２５６と、コンテンツ表示部２５８とが含まれる。
【００５３】
コンテンツ取得部２５６は、複合機１２０から通知された広告情報や補足情報のコンテンツを取得する取得手段を構成する。コンテンツは、上述したようにコンテンツＩＤ、コンテンツ自体のデータ、コンテンツ取得先ＵＲＬの形で通知され得る。
【００５４】
複合機１２０からコンテンツ自体のデータが送信される場合は、近距離無線通信を介して、そのデータを受信することにより取得することができる。複合機１２０からコンテンツＩＤが送信される場合は、そのコンテンツＩＤを用いて、コンテンツＤＢ２３４や他のデータベースに問い合わせてコンテンツを受信することにより取得することができる。または、複合機１２０からコンテンツの取得先ＵＲＬが送信される場合は、そのＵＲＬを用いて、コンテンツＤＢ２３４や他のデータベース、あるいはインターネット上の他のリソースからコンテンツを受信することにより取得することができる。なお、コンテンツデータの受信は、近距離無線通信に限定されず、通常の無線ＬＡＮ、モバイルデータ通信網などを介して行うことを妨げるものではない。
【００５５】
コンテンツ表示部２５８は、上記コンテンツ取得部２５６により取得されたコンテンツを、表示装置１６２に対し表示出力させる、本実施形態におけるユーザ端末の表示手段を構成する。コンテンツは、静止画像であれば一定時間表示される。コンテンツは、動画像であれば、再生され、動画像の再生が終わるまで表示される。
【００５６】
好ましい実施形態において、ウェアラブルデバイス１５０の機能ブロック２５０としては、さらに、コンテンツ印刷指示部２６０を含むことができる。コンテンツ印刷指示部２６０は、ユーザからの、現在表示されている静止画やテキストなど形のコンテンツに対する印刷指示を受け付ける。コンテンツ印刷指示部２６０は、ユーザからの印刷指示を受領して、複合機１２０に対し、広告表示や補足情報の静止画やテキストのコンテンツの印刷指示を送信する。ここでは、複合機１２０からウェアラブルデバイス１５０への表示すべきコンテンツの通知する場合と同様に、ウェアラブルデバイス１５０から複合機１２０への印刷すべきコンテンツの通知が行われればよい。複合機１２０側の印刷指示受付部２４４は、ウェアラブルデバイスからの広告情報や補足情報のコンテンツの出力指示に応じて、出力指令にかかるコンテンツを印刷出力装置１４２から印刷することになる。
【００５７】
以下、図４および図６（Ａ）を参照しながら、本実施形態によるウェアラブルデバイス１５０側で実行される制御フローを説明する。図４は、本実施形態によるウェアラブルデバイス１５０が実行する制御フローを示すフローチャートである。図６（Ａ）は、ウェアラブルデバイス１５０のユーザ情報記憶部２５２に記憶されるユーザ情報のデータ構造を示す図である。
【００５８】
図４に示す制御は、ウェアラブルデバイス１５０上で、広告提示にかかるプログラムが起動したことに応じて、ステップＳ１００から開始される。ステップＳ１０１では、ウェアラブルデバイス１５０は、ユーザ情報記憶部２５２から、ユーザ情報の読み出しを試みる。
【００５９】
図６（Ａ）に示す例では、ユーザ情報は、ユーザを識別するユーザＩＤと、ユーザが興味のあるコンテンツを示すコンテンツ群ＩＤと、そのコンテンツ群ＩＤが意味する内容の補足とを含み構成される。ユーザＩＤは、ユーザが事前に、プログラムがランダムで一意な値を割り振ったものや、複合機１２０を利用するサービスに登録した際に割り当てられたものを用いることができる。ユーザＩＤは、ジョブを行ったユーザを識別するため、ジョブを管理するユーザＩＤと同一であるか、または、ジョブを管理するユーザＩＤに紐付けられているものとする。コンテンツ群ＩＤは、例えば、ユーザが、キーボードや音声入力により予め入力操作を行うことにより選択され、複合機１２０およびウェアラブルデバイス１５０間で共通であるとする。なお、図６（Ａ）には、１つのコンテンツ群ＩＤのみが示されているが、これらが複数あることを妨げるものではない。
【００６０】
ステップＳ１０２では、ウェアラブルデバイス１５０は、ユーザ情報の登録が有るか否かを判定する。ステップＳ１０２で、ユーザ情報の登録がなされていないと判定された場合（ＮＯ）は、ステップＳ１１１へ処理を分岐させて、本処理を終了する。この場合、ユーザが事前登録操作を行った後に、プログラムが起動されて、ステップＳ１００から再度制御が開始されることになる。これに対し、ステップＳ１０２で、ユーザ情報の登録がされていると判定された場合（ＹＥＳ）は、ステップＳ１０３へ処理が分岐される。
【００６１】
ステップＳ１０３では、ウェアラブルデバイス１５０は、複合機１２０との近距離無線通信が確立するまでの間（ＮＯの間）、ステップＳ１０３をループさせ、通信の確立を待ち受ける。ウェアラブルデバイス１５０が複合機１２０との通信可能な距離まで近づくことにより、ステップＳ１０３で、複合機１２０との通信が確立したと判定された場合（ＹＥＳ）は、ステップＳ１０４へ処理が進められる。
【００６２】
ステップＳ１０４では、ウェアラブルデバイス１５０は、ユーザ情報送信部２５４により、通信を確立させた相手方の複合機１２０に対し、ユーザ情報を送信する。図６（Ａ）に示す例では、「ユーザＩＤ：１２３４」および「コンテンツ群ＩＤ：Ａ０００１」という情報が送信される。ステップＳ１０５では、ウェアラブルデバイス１５０は、上記ユーザ情報の送信に対する返信として、複合機１２０から広告情報や補足情報など表示すべきコンテンツ情報を受信したか否かを判定する。
【００６３】
ステップＳ１０５で、複合機１２０からコンテンツ情報を受信したと判定された場合（ＹＥＳ）は、ステップＳ１０６へ処理が進められる。ここでは、コンテンツ情報として、ウェアラブルデバイス１５０に表示すべき広告情報や補足情報のコンテンツを識別するコンテンツＩＤが受信されるものとする。ステップＳ１０６では、ウェアラブルデバイス１５０は、コンテンツ取得部２５６により、複合機１２０や外部のデータベースサーバから、コンテンツＩＤで識別されるコンテンツのデータを取得する。ステップＳ１０７では、ウェアラブルデバイス１５０は、コンテンツ表示部２５８により、取得したコンテンツのデータに基づき、ウェアラブルデバイス１５０の表示装置１６２に表示出力を行う。
【００６４】
ステップＳ１０８では、ウェアラブルデバイス１５０は、コンテンツの表示が終了するまでの間（ＮＯの間）、ステップＳ１０８をループさせ、表示が終了するまで待機する。コンテンツが静止画像であれば、表示を開始してから指定時間が経過した場合に、動画像であれば動画像が終わりまで再生した場合に、コンテンツの表示が終了したと判定される。ステップＳ１０８で、コンテンツの表示が終了したと判定された場合（ＹＥＳ）は、ステップＳ１０９へ処理が進められる。
【００６５】
再びステップＳ１０５を参照すると、ステップＳ１０５で、複合機１２０からコンテンツ情報を受信しなかったと判定された場合（ＮＯ）は、ステップＳ１０９へ処理が直接進められる。例えば、複合機１２０へユーザ情報を送信したにもかかわらず、コンテンツ情報を受信しないまま、一定時間が経過した場合は、表示させるべきコンテンツ情報を受信しなかったものと判定される。
【００６６】
ステップＳ１０９では、ウェアラブルデバイス１５０は、複合機１２０との近距離無線通信が切断されるまでの間（ＮＯの間）、ステップＳ１０９をループさせ、通信の切断を待機する。ウェアラブルデバイス１５０が、複合機１２０との通信可能な距離の範囲から外れることにより、ステップＳ１０９で、複合機１２０との通信が切断されたと判定された場合（ＹＥＳ）は、ステップＳ１１０へ処理が進められる。
【００６７】
なお、説明する実施形態では、通知された１つのコンテンツの表示が終了した場合に、それ以上のコンテンツの表示は行わず、切断を待ち受けるものとして説明する。しかしながら、この実施形態に限定されるものではなく、他の実施形態では、１つのコンテンツの表示終了後も、ウェアラブルデバイス１５０のユーザが複合機１２０の近傍に留まり続ける場合に、複合機１２０から追加の広告情報や補足情報のコンテンツ情報を通知し、これらの表示を行うことは妨げるものではない。
【００６８】
ステップＳ１１０では、本プログラムが終了するか否かに応じて、処理を分岐させる。ステップＳ１１０で、未だプログラムが終了しないと判定された場合（ＮＯ）は、ステップＳ１０３へ処理をループさせる。この場合は、ウェアラブルデバイス１５０は、複合機１２０との次の近距離無線通信確立を待ち受けることになる。これに対して、ユーザやシステムからのプログラムの終了の指示があり、プログラムが終了すると判定された場合（ＹＥＳ）は、ステップＳ１１１へ処理を分岐させて、本処理を終了する。
【００６９】
以下、図５、図６（Ｂ）および図６（Ｃ）を参照しながら、本実施形態による複合機１２０側で実行される制御フローを説明する。図５は、本実施形態による複合機１２０が実行する制御フローを示すフローチャートである。図６（Ｂ）は、本実施形態による複合機１２０が備えるジョブリスト２２６のデータ構造を例示し、図６（Ｃ）は、コンテンツＤＢ２３４のテーブルのデータ構造を例示する。
【００７０】
図５に示す制御は、複合機１２０が、ウェアラブルデバイス１５０と近距離無線通信を確立したことに応じて、ステップＳ２００から開始される。ステップＳ２０１では、複合機１２０は、通信の確立に引き続いて、ウェアラブルデバイス１５０により送信されたユーザ情報が有るか否かを判定する。ステップＳ２０１で、ユーザ情報が有ると判定された場合（ＹＥＳ）は、ステップＳ２０２へ処理が進められる。ステップＳ２０２では、複合機１２０は、ユーザ情報受信部２２２により、ウェアラブルデバイス１５０から送信されたユーザ情報を受信し、メモリ１２６に記憶する。ステップＳ２０３では、複合機１２０は、ジョブ特定部２２４により、ジョブリスト２２６から、ユーザ情報に含まれるユーザＩＤに対応するジョブを特定し、その情報を取得する。
【００７１】
図６（Ｂ）に示すように、ジョブリスト２２６は、ジョブを識別するジョブＩＤと、ジョブを実行したユーザを識別するユーザＩＤと、ジョブの種類と、処理の枚数と、処理のモードとを含み構成される。ジョブの種類には、プリント、コピーなどのジョブの種類を識別する情報が保持され、モードには、モノクロやフルカラーなどのカラーモードの情報が保持される。
【００７２】
図６に示す例では、「ユーザＩＤ：１２３４」のユーザが「１０」枚、「カラーモード」でプリントを実行する旨のレコードがジョブリスト２２６に追加されている。この場合、ステップＳ２０２で「ユーザＩＤ：１２３４」という情報が受信されているので、ステップＳ２０３では、「ユーザＩＤ１２３４」に紐付けられた「ジョブＩＤ：Ｊ０００１」のレコードが取得されることになる。
【００７３】
ステップＳ２０４では、複合機１２０は、ユーザ適合コンテンツ抽出部２３０により、受信されたユーザ情報に含まれるコンテンツ群ＩＤに基づき、コンテンツＤＢ２３４から、コンテンツ群ＩＤを有した、ユーザの特性に適合するコンテンツ群（候補コンテンツ群）を抽出する。
【００７４】
図６（Ｃ）に示すように、コンテンツＤＢ２３４は、コンテンツ群を識別するコンテンツ群ＩＤと、コンテンツを固有に識別するコンテンツＩＤと、該コンテンツの表示時間と、関連コンテンツの関連コンテンツＩＤとを含み構成される。ここで、コンテンツＩＤは、広告情報のコンテンツを識別する識別子であり、関連コンテンツＩＤは、上記広告情報に関連した補足情報のコンテンツを識別する識別子である。例えば、「カメラ」を紹介する静止画像や動画像など広告情報に対して、製品のセールスポイントの説明やスペックやカタログなどの詳細情報を含む文書などの補足情報が関連付けられる。
【００７５】
図６に示す例では、「コンテンツ群ＩＤ：Ａ０００１」という情報が受信されているので、ステップＳ２０４では、「コンテンツ群ＩＤ：Ａ０００１」に紐付けられた「コンテンツＩＤ：Ａ０００１０００１」〜「コンテンツＩＤ：Ａ０００１０００３」が抽出されることになる。
【００７６】
ステップＳ２０５では、複合機１２０は、ジョブ対応コンテンツ選択部２３２により、抽出された候補コンテンツ群から、特定されたジョブの情報に基づいて、提示するコンテンツを選択する。ここで、ジョブの情報とは、説明する実施形態では、ジョブの処理時間に関連する情報であり、図６（Ｂ）に示す例では、枚数およびモードがジョブの処理時間に関係したジョブの情報である。このジョブの処理時間は、ジョブを構成する処理の数量および複合機の当該モードのジョブを処理する処理性能に基づいて算出することができる。
【００７７】
ジョブの処理時間は、例えば、下記式により計算することができる。下記式中、モード係数は、当該複合機の機種に対し、モードに応じて事前に準備される係数であり、例えば、モノクロモードで「１．０」、カラーモードで「１．５」というような情報が与えられる。スペック補正値は、当該複合機の機種に対し事前に準備される係数であり、例えば、「２秒／枚」というような情報が与えられる。
【００７８】
（数１）
処理時間＝枚数×モード係数×スペック補正値
【００７９】
例えば、「ジョブＩＤ：０００１」で識別されるジョブは、３０秒（＝１０［枚］×１．５×［２秒／枚］）と計算される。例えば、「ジョブＩＤ：０００２」で識別されるジョブは、１５０秒（＝５０［枚］×１．５×［２秒／枚］）と、「ジョブＩＤ：０００３」で識別されるジョブは、２秒と計算される。
【００８０】
コンテンツＤＢ２３４には、図６（Ｃ）に示すように、同一のコンテンツ群ＩＤに対して、表示時間が異なる複数のコンテンツが登録されている。複合機１２０は、抽出されたコンテンツ群から、特定されたジョブの情報から算出される処理時間に適合する表示時間を有したコンテンツを提示するコンテンツ（以下、関連コンテンツと区別するために提示コンテンツと参照する場合がある。）を選択する。ここで、処理時間に適合する表示時間を有したコンテンツとは、ジョブの処理時間以下であって、最も大きい時間を有する表示時間のコンテンツとすることができる。
【００８１】
図６に示す例では、ジョブ「ジョブＩＤ：Ｊ０００１」のユーザ「ユーザＩＤ：１２３４」に対しては、ジョブの処理時間「３０秒」と算出される。このため、図６（Ｂ）のコンテンツＤＢ２３４において２８秒の表示時間を有するコンテンツ「コンテンツＩＤ：Ａ０００１０００２」が選択されることになる。このコンテンツは、典型的には、例えば、２８秒に編集された動画像である。
【００８２】
また仮に、ジョブの処理時間以下であって、最も大きい時間を有する表示時間のコンテンツが静止画像しか無い場合は、例えば合計で上述したジョブの処理時間の表示が指定されたようなスライドショーとして、１以上の静止画像が選択されてもよい。
【００８３】
例えば、図６（Ｂ）のジョブ「ジョブＩＤ：Ｊ０００３」を実行したユーザ「ユーザＩＤ：９０１２」は、１枚のモノクロ印刷を行っており、非常に短い時間である。このため、表示されるコンテンツを静止画像の広告情報とし、算出された少なくとも２秒間、表示させることができる。
【００８４】
ステップＳ２０６では、複合機１２０は、提示コンテンツおよび関連コンテンツ情報を取得し、ステップＳ２０７およびステップＳ２１０へそれぞれ処理を進める。
【００８５】
ステップＳ２０７では、複合機１２０は、表示タイミングが到来するまでの間（ＮＯの間）、ステップＳ２０７をループさせ、表示タイミングの到来を待ち受ける。ここで、例えば、ユーザに対応したジョブの実行処理が開始されるタイミングが到来したことにより、ステップＳ２０７で、表示タイミングが到来したと判定された場合（ＹＥＳ）は、ステップＳ２０８へ処理が進められる。ステップＳ２０８では、複合機１２０は、コンテンツ提示処理部２３６からコンテンツ表示部２３８へ指令が行われ、コンテンツ表示部２３８により、表示装置１６２に対し、提示コンテンツの表示出力が行われる。
【００８６】
複合機１２０は、提示コンテンツの表示が終了するまでの間（ＮＯの間）、ステップＳ２０９をループさせ、表示が終了するまで待機する。コンテンツが静止画像であれば、表示を開始してから指定時間が経過した場合に、動画像であれば動画像が終わりまで再生した場合に、コンテンツの表示が終了したと判定される。ステップＳ２０９で、コンテンツの表示が終了したと判定された場合（ＹＥＳ）は、ステップＳ２１３へ処理が進められる。
【００８７】
上記ステップＳ２０７〜ステップＳ２０９の処理と並列して、または、これらの処理に続いて、ステップＳ２１０〜ステップＳ２１２の処理が実行される。ステップＳ２１０では、複合機１２０は、関連コンテンツが有るか否かを判定する。ステップＳ２１０で、関連コンテンツが有ると判定された場合（ＹＥＳ）は、ステップＳ２１１へ処理が分岐される。ステップＳ２１１では、複合機１２０は、コンテンツ提示処理部２３６により、ウェアラブルデバイス１５０に対し、関連コンテンツ情報を送信し、ステップＳ２１３へ処理が進められる。この場合、ウェアラブルデバイス１５０側では、広告情報に付された補足情報などの関連コンテンツの表示が行われることになる。
【００８８】
これに対し、ステップＳ２１０で、関連コンテンツが無いと判定された場合（ＹＥＳ）は、ステップＳ２１２へ処理が分岐される。ステップＳ２１２では、複合機１２０は、コンテンツ提示処理部２３６により、ウェアラブルデバイス１５０に対し、提示コンテンツ情報を送信し、ステップＳ２１３へ処理が進められる。この場合、ウェアラブルデバイス１５０側では、複合機１２０が表示しているものと同一の提示コンテンツの表示が行われることになる。
【００８９】
ステップＳ２１３では、複合機１２０は、ウェアラブルデバイス１５０との近距離無線通信が切断されるまでの間（ＮＯの間）、ステップＳ２１３をループさせ、通信の切断を待機する。ウェアラブルデバイス１５０が、複合機１２０との通信可能な距離の範囲から外れることにより、ステップＳ２１３で、ウェアラブルデバイス１５０との通信が切断されたと判定された場合（ＹＥＳ）は、ステップＳ２１４へ処理が進められ、本処理を終了する。本終了に伴い、メモリ１２６上のユーザ情報は、消去される。
【００９０】
なお、図５に示す処理では、近距離無線通信可能な範囲内に通信可能な状態のユーザが単一である場合を想定して説明した。しかしながら、これに限定されるものではなく、近距離無線通信可能な範囲内に通信可能な状態のユーザが複数いる場合にも対応することができる。例えば、複合機１２０とウェアラブルデバイス１５０との間の距離を、電場強度などから測定することができる。そして、ジョブ実行要求時にこの距離が最も短かったユーザが、ジョブ開始ボタンを押下したものとして判別することができる。その場合、ジョブ実行中のユーザに対する広告が複合機１２０の操作パネル１４４に表示され、これに対して、ジョブ実行中ではないが近距離無線通信可能な範囲内にいて通信可能な状態にあるユーザに対して、そのユーザに適した広告情報をウェアラブルデバイス１５０の表示装置１６２に表示することができる。このように、１台の複合機１２０から、複数のユーザのウェアラブルデバイス１５０に対して別々の広告を表示させることもできる。
【００９１】
以上説明したように、上述した本実施形態によれば、ネットワーク装置に対しユーザが情報を入力する手間なく、ネットワーク装置で管理するジョブの情報を活用して、ユーザに対応するジョブに応じたコンテンツを提示することができる、ネットワーク装置、情報提示システム、情報提示方法およびプログラムを提供することができる。
【００９２】
上記構成により、ユーザが装置に対し情報を入力する手間を省きながら、ユーザに適した広告情報を判断することが可能となる。また、ユーザは、画像サービスを利用するために複合機の前に近づくところ、上記構成により、ユーザのジョブを考慮して広告情報を提示することが可能となる。
【００９３】
また、従来技術では、一律にいずれのユーザに対しても、同一の時間の広告が表示されるため、ユーザが忙しい時には、広告が妨げとなってしまう可能性がある。また、一律に長時間の広告情報のコンテンツを表示する場合、広告の重要な部分が表示される前に、ユーザは、複合機１２０から離れ、広告を見るのをやめてしまったりすることもあり得る。
【００９４】
これに対し、上述した実施形態では、ジョブの情報、より具体的には、ジョブの処理時間に応じて適切なコンテンツが選択され表示される。このため、ユーザの作業の妨げとなる可能性を軽減し、時間の関係で重要な部分をユーザに伝えることができないということも少なくなり、広告の効果を向上させることもできる。
【００９５】
また、上述した実施形態では、個人情報や興味のある情報は、複合機１２０がウェアラブルデバイス１５０から読み取られるため、複合機が複数有る場合でも複合機毎に設定するというような手間を省くことができる。また、個人情報や興味のある情報が保存されているのはウェアラブルデバイス１５０であるため、複合機１２０が共有物であっても、複合機１２０に個人情報が残らないためセキュリティ上も安全である。
【００９６】
なお、上述した実施形態では、ネットワーク装置として複合機１２０を一例に説明したが、ユーザの投入するジョブを処理するネットワーク装置、例えば、複写機、プリンタ、ファクシミリ、プロジェクタ、会議システム、電子黒板（ホワイトボード）など複合機以外の様々なネットワーク装置に適用することができる。また、上述した実施形態では、コンテンツは、静止画像または動画像を表示出力するものとして説明した。しかしながら、コンテンツは、画像に限定されるものではなく、音声として、音声出力されるものであってもよい。
【００９７】
なお、上記機能部は、アセンブラ、Ｃ、Ｃ＋＋、Ｃ＃、Ｊａｖａ（登録商標）などのレガシープログラミング言語やオブジェクト指向プログラミング言語などで記述されたコンピュータ実行可能なプログラムにより実現でき、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤカード、ＭＯなど装置可読な記録媒体に格納して、あるいは電気通信回線を通じて頒布することができる。
【００９８】
これまで本発明の実施形態について説明してきたが、本発明の実施形態は上述した実施形態に限定されるものではなく、他の実施形態、追加、変更、削除など、当業者が想到することができる範囲内で変更することができ、いずれの態様においても本発明の作用効果を奏する限り、本発明の範囲に含まれるものである。
【符号の説明】
【００９９】
１００…広告提示システム、１１０…アクセスポイント、１１２…近距離無線通信装置、１２０…複合機、１２２…コントローラボード、１２４…ＣＰＵ、１２６…メモリ、１２８…補助記憶装置、１３０…入力Ｉ／Ｆ、１３２…近距離無線通信装置、１３４…ネットワークＩ／Ｆ、１３６…印刷出力Ｉ／Ｆ、１３８…パネルＩ／Ｆ、１４０…画像入力装置、１４２…印刷出力装置、１４４…操作パネル、１５０…ウェアラブルデバイス、１５２…ＣＰＵ、１５４…メモリ、１５６…補助記憶装置、１５８…近距離無線通信装置、１６０…入力装置、１６２…表示装置、１６４…インタフェース装置、２００，２２０，２５０…機能ブロック、２２２…ユーザ情報受信部、２２４…ジョブ特定部、２２６…ジョブリスト、２２８…コンテンツ決定部、２３０…ユーザ適合コンテンツ抽出部、２３２…ジョブ対応コンテンツ選択部、２３４…コンテンツＤＢ、２３６…コンテンツ提示処理部、２３８…コンテンツ表示部、２４０…コンテンツ印刷部、２４２…ジョブ受付部、２４４…印刷指示受付部、２５０…機能ブロック、２５２…ユーザ情報記憶部、２５４…ユーザ情報送信部、２５６…コンテンツ取得部、２５８…コンテンツ表示部、２６０…コンテンツ印刷指示部
【先行技術文献】
【特許文献】
【０１００】
【特許文献１】特開２０１４−０９１２５４号公報
【図１】
2016130907.tif 000003
【図２】
2016130907.tif 000004
【図３】
2016130907.tif 000005
【図４】
2016130907.tif 000006
【図５】
2016130907.tif 000007
【図６】
2016130907.tif 000008